(57)【要約】【課題】制御メッセージを効率的に使用することによって、制御メッセージの数を抑制する。【解決手段】移動端末と無線によって通信する基地局を介して、前記移動端末と通信する転送装置を備える無線通信システムであって、前記転送装置は、前記移動端末が接続するネットワークに関する情報を示すＲＡ情報を保持するルータ処理部と、前記移動端末と前記転送装置とが通信するための情報を交換するために、前記移動端末から送信される第１の制御メッセージを受信する制御情報管理部と、を有し、前記制御情報管理部は、前記第１の制御メッセージを受信した場合、前記ルータ処理部から前記ＲＡ情報を取得し、前記第１の制御メッセージに応答するための第２の制御メッセージに、前記取得されたＲＡ情報を含め、前記ＲＡ情報を含む前記第２の制御メッセージを、前記移動端末に送信する。【選択図】図３
2014150342.tif 000002
【特許請求の範囲】
【請求項１】
移動端末と無線によって通信する基地局を介して、前記移動端末と通信する転送装置を備える無線通信システムであって、
前記転送装置は、
メモリを備え、
前記移動端末が接続するネットワークに関する情報を示すＲＡメッセージを、前記メモリに保持するルータ処理部と、
前記移動端末と前記転送装置とが通信するための情報を交換するために、前記移動端末から送信される第１の制御メッセージを受信する制御情報管理部と、を有し、
前記制御情報管理部は、
前記第１の制御メッセージを受信した場合、前記ルータ処理部から前記ＲＡメッセージを取得し、
前記第１の制御メッセージに応答するための第２の制御メッセージに、前記取得されたＲＡメッセージを含め、
前記ＲＡメッセージを含む前記第２の制御メッセージを、前記移動端末に送信することを特徴とする無線通信システム。
【請求項２】
請求項１に記載の無線通信システムであって、
前記転送装置は、前記ＲＡメッセージを前記移動端末に送信してから経過した時間を示す経過時間を保持するパケット処理部を有し、
前記制御情報管理部が、前記ルータ処理部からＲＡメッセージを取得した場合、前記パケット処理部は、前記経過時間を前記ＲＡメッセージが送信されたことを示す値に更新することを特徴とする無線通信システム。
【請求項３】
請求項２に記載の無線通信システムであって、
前記パケット処理部は、前記移動端末が前記第１の制御メッセージを送信する制御メッセージ周期と、前記ＲＡメッセージを前記移動端末に送信するＲＡ周期とを保持し、
前記制御情報管理部は、前記ＲＡメッセージを取得するために、前記パケット処理部にＲＡ情報要求を送信し、
前記パケット処理部は、
前記ＲＡ周期の残り時間が、前記制御メッセージ周期より短いか否かを判定し、
前記判定の結果、前記制御メッセージ周期より前記ＲＡ周期の残り時間が短い場合、前記ルータ処理部から前記移動端末の前記ＲＡメッセージを取得し、
前記ＲＡ情報要求の応答である前記ＲＡ情報応答に、前記取得されたＲＡメッセージを含め、
前記ＲＡメッセージを含むＲＡ情報応答を、前記制御情報管理部に送信し、
前記制御情報管理部は、受信した前記ＲＡ情報応答から前記ＲＡメッセージを抽出することによって、前記ルータ処理部からＲＡメッセージを取得することを特徴とする無線通信システム。
【請求項４】
請求項３に記載の無線通信システムであって、
前記転送装置は、
前記制御メッセージ周期を含む第３の制御メッセージを受信する認証管理部を、さらに有し、
前記認証管理部は、
前記ＲＡ周期を前記パケット処理部から取得し、
前記取得されたＲＡ周期より短い周期を、新たな制御メッセージ周期として、前記第３の制御メッセージに応答するための第４の制御メッセージに含め、
前記新たな制御メッセージ周期を含む第４の制御メッセージを前記移動端末に送信することによって、前記移動端末に前記新たな制御メッセージ周期において前記第１の制御メッセージを送信させることを特徴とする無線通信システム。
【請求項５】
請求項１又は２に記載の無線通信システムであって、
前記第１の制御メッセージが、前記移動端末がアイドル状態に遷移するための無線リソース解放要求である場合、前記制御情報管理部は、前記無線リソース解放要求に対する応答を示す前記第２の制御メッセージに、前記取得されたＲＡメッセージを含めることを特徴とする無線通信システム。
【請求項６】
請求項１に記載の無線通信システムであって、
前記移動端末は、
前記第１の制御メッセージに含まれる前記ＲＡメッセージを受信し、
前記受信したＲＡメッセージによって、自らが保持するＲＡメッセージを更新することを特徴とする無線通信システム。
【請求項７】
移動端末と無線によって通信する基地局を介して、前記移動端末と通信する転送装置であって、
前記転送装置は、
メモリを備え、
前記移動端末が接続するネットワークに関する情報を示すＲＡメッセージを、前記メモリに保持するルータ処理部と、
前記移動端末と前記転送装置とが通信するための情報を交換するために、前記移動端末から送信される第１の制御メッセージを受信する制御情報管理部と、を有し、
前記制御情報管理部は、
前記第１の制御メッセージを受信した場合、前記ルータ処理部から前記ＲＡメッセージを取得し、
前記第１の制御メッセージに応答するための第２の制御メッセージに、前記取得されたＲＡメッセージを含め、
前記ＲＡメッセージを含む前記第２の制御メッセージを、前記移動端末に送信することを特徴とする転送装置。
【請求項８】
請求項７に記載の転送装置であって、
前記転送装置は、前記ＲＡメッセージを前記移動端末に送信してから経過した時間を示す経過時間を保持するパケット処理部を有し、
前記制御情報管理部が、前記ルータ処理部からＲＡメッセージを取得した場合、前記パケット処理部は、前記経過時間を前記ＲＡメッセージが送信されたことを示す値に更新することを特徴とする転送装置。
【請求項９】
請求項８に記載の転送装置であって、
前記パケット処理部は、前記移動端末が前記第１の制御メッセージを送信する制御メッセージ周期と、前記ＲＡメッセージを前記移動端末に送信するＲＡ周期とを保持し、
前記制御情報管理部は、前記ＲＡメッセージを取得するために、前記パケット処理部にＲＡ情報要求を送信し、
前記パケット処理部は、
前記ＲＡ周期の残り時間が、前記制御メッセージ周期より短いか否かを判定し、
前記判定の結果、前記制御メッセージ周期より前記ＲＡ周期の残り時間が短い場合、前記ルータ処理部から前記移動端末の前記ＲＡメッセージを取得し、
前記ＲＡ情報要求の応答である前記ＲＡ情報応答に、前記取得されたＲＡメッセージを含め、
前記ＲＡメッセージを含むＲＡ情報応答を、前記制御情報管理部に送信し、
前記制御情報管理部は、受信した前記ＲＡ情報応答から前記ＲＡメッセージを抽出することによって、前記ルータ処理部からＲＡメッセージを取得することを特徴とする転送装置。
【請求項１０】
請求項９に記載の転送装置であって、
前記転送装置は、
前記制御メッセージ周期を含む第３の制御メッセージを受信する認証管理部を、さらに有し、
前記認証管理部は、
前記ＲＡ周期を前記パケット処理部から取得し、
前記取得されたＲＡ周期より短い周期を、新たな制御メッセージ周期として、前記第３の制御メッセージに応答するための第４の制御メッセージに含め、
前記新たな制御メッセージ周期を含む第４の制御メッセージを前記移動端末に送信することによって、前記移動端末に前記新たな制御メッセージ周期において前記第１の制御メッセージを送信させることを特徴とする転送装置。
【請求項１１】
請求項７又は８に記載の転送装置であって、
前記第１の制御メッセージは、前記移動端末がアイドル状態に遷移するための無線リソース解放要求を示し、
前記制御情報管理部は、前記無線リソース解放要求に対する応答を示す前記第２の制御メッセージに、前記取得されたＲＡメッセージを含めることを特徴とする転送装置。
【発明の詳細な説明】
【技術分野】
【０００１】
本発明は、無線通信システムに関する。
【背景技術】
【０００２】
移動体通信システムは、無線帯域（リソース）を有効活用するため、ユーザが移動端末を用いて通信しない場合、移動端末が用いていた無線コネクションを解放する。これにより、移動体通信システムは、データを通信する移動端末にのみ必要な無線帯域を割り当て、限りある無線帯域を移動体通信システム内で有効活用する。
【０００３】
例えば、ＷｉＭＡＸ（Ｗｏｒｌｄ  Ｉｎｔｅｒｏｐｅｒａｂｉｌｉｔｙ  Ｍｉｃｒｏｗａｖｅ  Ｇａｔｅｗａｙ）、又は、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）における移動端末は、移動体通信システムに接続後、データを通信しない場合、無線コネクションを解放し、Ｉｄｌｅ状態に遷移する。
【０００４】
移動端末は、Ｉｄｌｅ状態に遷移した場合、必要最小限の制御メッセージ処理（ページング、及び、位置情報登録）のみを行うことによって、電力消費を抑える。
【０００５】
一方、近年、移動体通信システムにＩＰ技術が採用されている。そして、移動端末の数は非常に多いことからＩＰｖ６が採用されるケースが多い。このＩＰｖ６において、ルータは、移動端末をネットワークに接続させるため、ネットワークと接続するために必要な情報を含むＲＡ（Ｒｏｕｔｅｒ  Ａｄｖｅｒｔｉｓｅｍｅｎｔ）メッセージを移動端末に送信する。
【０００６】
このＲＡメッセージにはＲｏｕｔｅｒ  Ｌｉｆｅｔｉｍｅというデフォルトルータの通信設定の有効時間を示す情報が含まれる。また、移動端末は、ＲＡメッセージをルータから受信した場合、ＲＡメッセージの送信元のルータをデフォルトルータのＩＰアドレスとして、自らに設定する。
【０００７】
このデフォルトルータの設定は、ＲＡメッセージが示す有効時間だけ有効である。このため、ルータは、移動端末における通信設定（デフォルトルータの設定）を維持するため定期的に有効時間内にＲＡメッセージを移動端末に送信する必要がある。
【０００８】
移動体通信システムにおける移動端末は、Ｐｏｉｎｔ−ｔｏ−Ｐｏｉｎｔモデルで接続される。その結果、ＲＡメッセージは、ルータから移動端末毎に定期的に送信される必要がある。さらに、移動体通信システムに接続する多くの移動端末は、ほとんどの期間データ通信をしないため、無線コネクションを解放したＩｄｌｅ状態にある場合が多い。
【０００９】
特許文献１に開示された通信システムは、移動端末がＩｄｌｅ状態であるか否かを判断し、Ｉｄｌｅ状態でなければ、ＲＡメッセージを移動端末に送信し、Ｉｄｌｅ状態であれば、通信システムはＲＡメッセージの送信を停止し、移動端末は既知のＲＡメッセージを自身に向けて送信することでＲＡメッセージの送信を疑似する。
【先行技術文献】
【特許文献】
【００１０】
【特許文献１】国際公開第２０１０／０２９７９８号
【発明の概要】
【発明が解決しようとする課題】
【００１１】
移動端末がＩｄｌｅ状態である場合において、ルータがＲＡメッセージを移動端末に送信した場合、移動端末は、ページングを行い、さらに、無線コネクションを再確立した後、ＲＡメッセージを受信する。
【００１２】
その結果、移動端末がＩＰｖ６を用いてデータ通信のサービスを維持する場合、データ通信と直接関係ない処理である、ページング、無線コネクションの再確立、及び、データ通信後の無線コネクションの解放が、ルータがＲＡメッセージを定期的に送信する度に移動端末において発生する。
【００１３】
これらのページング、及び、無線コネクションの再確立等を実行するために、移動端末は制御メッセージを送信する必要がある。このため、ＲＡメッセージの定期的な送信が要因で、移動体通信システムにおいて制御メッセージが頻繁に使用されることになる。さらに、移動体通信システムに接続する移動端末数が多くなるとこれらの制御メッセージが増加し、移動体通信システムにおいて輻輳状態が発生する。
【００１４】
また、移動端末ではＲＡメッセージを受信するために、Ｉｄｌｅ状態を抜け出す処理が定期的に発生し、それが要因で移動端末の電力消費が増大する。
【００１５】
一方で、特許文献１に記載された移動端末は、受信した全てのパケットがＲＡメッセージであるか否かを判定する。移動端末が全てのパケットに対してＲＡメッセージであるか否かを判定することは、移動端末における電力消費を増大させ、移動端末の処理能力に影響を与える可能性がある。
【００１６】
本発明の目的は、受信するパケットすべてにＲＡメッセージが含まれるか否かを、移動端末に判定させることなく、また、移動端末が行う、ページング及び無線コネクションの再確立の回数を増加させることなく、ＩＰｖ６のような無線通信技術によって通信できる状態を移動端末において維持させることである。そして、これによって、制御メッセージの増加による制御メッセージの輻輳、及び、移動端末の電力消費を低減することが目的である。
【課題を解決するための手段】
【００１７】
本発明の代表的な一形態によると、移動端末と無線によって通信する基地局を介して、前記移動端末と通信する転送装置を備える無線通信システムであって、前記転送装置は、前記移動端末が接続するネットワークに関する情報を示すＲＡメッセージを保持するルータ処理部と、前記移動端末と前記転送装置とが通信するための情報を交換するために、前記移動端末から送信される第１の制御メッセージを受信する制御情報管理部と、を有し、前記制御情報管理部は、前記第１の制御メッセージを受信した場合、前記ルータ処理部から前記ＲＡメッセージを取得し、前記第１の制御メッセージに応答するための第２の制御メッセージに、前記取得されたＲＡメッセージを含め、前記ＲＡメッセージを含む前記第２の制御メッセージを、前記移動端末に送信する。
【発明の効果】
【００１８】
本発明の一実施形態によると、制御メッセージを効率的に用いることによって、制御メッセージの輻輳、及び、移動端末の電力消費を低減できる。
【００１９】
上記した以外の課題、構成及び効果は、以下の実施形態の説明により明らかにされる。
【図面の簡単な説明】
【００２０】
【図１】本実施例の移動体通信システムの構成を示すブロック図である。
【図２】本実施例の移動体通信システムにおいて移動端末がＩＰｖ６を用いてネットワークと接続する処理を示すシーケンス図である。
【図３】本実施例の位置情報更新処理を示すシーケンス図である。
【図４】本実施例の基地局−転送装置間制御メッセージのメッセージフォーマットを示す説明図である。
【図５】本実施例の位置情報更新処理における転送装置の処理を示す説明図である。
【図６】本実施例の移動端末における位置情報更新処理を示す説明図である。
【図７】本実施例の無線解放処理を示すシーケンス図である。
【図８】本実施例のＲＡメッセージ要求を受信した場合のデータパケット転送部の処理を記すフローチャートである。
【図９】本実施例の動作情報交換処理のシーケンス図である。
【図１０】本実施例の動作情報交換処理における転送装置の説明図である。
【図１１】本実施例の認証・認可管理部による処理を示すフローチャートである。
【発明を実施するための形態】
【００２１】
本発明を実施するための実施例について図面を参照して詳細に説明する。なお、以下に示す本実施例の移動体通信システムは、ＲＡ（Ｒｏｕｔｅｒ  Ａｄｖｅｒｔｉｓｅｍｅｎｔ）メッセージを用いる技術としてＩＰｖ６を用いるが、ＲＡメッセージを用いる技術であれば、いかなる無線通信の技術でもよい。
【００２２】
図１は、本実施例の移動体通信システムの構成を示すブロック図である。
【００２３】
本実施例の移動体通信システムは、少なくとも一つの移動端末１０と、少なくとも一つの基地局２０と、少なくとも一つの転送装置３０と、少なくとも一つの移動管理装置４０とを備える。また、本実施例の移動体通信システムは、ネットワーク５０を介して、通信装置６０と接続される。
【００２４】
図１に示す移動端末１０、基地局２０、転送装置３０、及び、移動管理装置４０は、各々複数である。本実施例の移動体通信システムに設置される装置は、移動端末１０の収容数が変化したり、基地局２０のカバーエリアが変化したりする際に、移動体通信システムに最適な数が設置される。
【００２５】
移動端末１０は、移動端末−基地局間制御メッセージを使用して、移動端末−基地局間コネクションを基地局２０と確立する。そして、移動端末１０は、確立された移動端末−基地局間コネクションによって、基地局２０の無線通信を行う。
【００２６】
また、移動端末１０は、転送装置３０、及び、移動管理装置４０を介して、ネットワーク５０に接続し、さらに、ネットワーク５０に接続される通信装置６０と通信する。また、移動端末１０は、基地局２０、転送装置３０、移動管理装置４０、及び、ネットワーク５０を介して、移動体通信システムに接続される他の移動端末１０と通信する。
【００２７】
なお、移動端末１０は、ＷｉＭＡＸにおけるＭＳに相当し、３ＧＰＰにおけるＵＥに相当する。
【００２８】
基地局２０は、移動端末−基地局間制御メッセージを使用して、移動端末−基地局間コネクションを、移動端末１０と確立する。また、基地局２０は、基地局−転送装置制御メッセージを使用して、基地局−転送装置間コネクションを転送装置３０と確立する。基地局２０は、移動端末１０から受信したユーザデータを転送装置３０に転送し、転送装置３０から受信したユーザデータを移動端末１０に転送する。
【００２９】
基地局２０は、ＷｉＭＡＸにおけるＢＳに相当し、３ＧＰＰにおけるｅＮＢに相当する。
【００３０】
転送装置３０は、基地局−転送装置間制御メッセージを使用して、基地局−転送装置間コネクションを基地局２０と確立する。転送装置３０は、転送装置―移動管理装置間制御メッセージを使用して、転送装置−移動管理装置間コネクションを移動管理装置４０と確立する。転送装置３０は、基地局２０から受信したユーザデータを移動管理装置４０に転送し、移動管理装置４０から受信したユーザデータを基地局２０に転送する。
【００３１】
転送装置３０は、ＷｉＭＡＸにおけるＡＳＮ−ＧＷに相当し、３ＧＰＰにおけるＭＭＥとＳ−ＧＷとに相当する。
【００３２】
移動管理装置４０は、転送装置−移動管理装置間制御メッセージを使用して、転送装置−移動管理装置間コネクションを転送装置３０と確立する。移動管理装置４０は、転送装置３０から受信したユーザデータをネットワーク５０上に転送する。また、移動管理装置４０は、ネットワーク５０から移動端末１０向けのユーザデータを受信し、転送装置３０に転送する。
【００３３】
移動管理装置４０は、ＷｉＭＡＸにおけるＨＡ又はＬＭＡに相当し、３ＧＰＰにおけるＰ−ＧＷに相当する。
【００３４】
図２は、本実施例の移動体通信システムにおいて移動端末１０がＩＰｖ６を用いてネットワーク５０と接続する処理を示すシーケンス図である。
【００３５】
移動端末１０が基地局２０へ接続を試みた場合、移動端末１０、基地局２０、転送装置３０、及び、移動管理装置間４０は、相互に制御メッセージを交換することによって行う接続処理を、開始する（２０１）。移動端末１０、基地局２０、転送装置３０、及び、移動管理装置４０は、制御メッセージの交換の過程において、移動端末１０とネットワーク５０との間において用いられるアドレス指定方法を示す情報を取得する。
【００３６】
アドレス指定方法とは、具体的には、ＩＰｖ４が用いられるか、ＩＰｖ６が用いられるか、又は、ＩＰｖ４とＩＰｖ６との両方が用いられるかを示す情報である。転送装置３０は、取得されたアドレス指定方法を示す情報を保持する。
【００３７】
シーケンス２０１の接続処理が終了した場合、移動端末１０とネットワーク５０との間に移動端末−基地局間コネクション、基地局―転送装置間コネクション、及び、転送装置―移動管理装置間コネクションが確立される。これによって、移動端末１０とネットワーク５０との間のデータ転送が可能となる。
【００３８】
移動端末１０がＩＰｖ６でネットワーク５０と通信する場合、移動端末１０は、ＩＰｖ６アドレスを生成するためにＰｒｅｆｉｘ情報を取得する必要がある。このＰｒｅｆｉｘ情報を移動端末１０に入力するため、転送装置３０、又は、移動管理装置４０は、Ｐｒｅｆｉｘ情報を含むＲＡメッセージを、移動端末１０に送信する（２０２〜２０４）。図２に示すＲＡメッセージは、転送装置３０から移動端末１０に送信されるが、ＲＡメッセージは、移動管理装置４０から送信されてもよい。
【００３９】
ＲＡメッセージには、転送装置３０又は移動管理装置４０によって、Ｒｏｕｔｅｒ  Ｌｉｆｅｔｉｍｅというあらかじめ定義された有効時間が格納される。ＲＡメッセージが示す有効時間が満了した場合、Ｐｒｅｆｉｘ情報などを含むＲＡメッセージの情報は移動端末１０において無効になる。具体的には、ＲＡメッセージが示す有効時間が満了した場合、移動端末１０は、ＩＰｖ６アドレスを用いてネットワーク５０と通信することができない。
【００４０】
移動端末１０におけるＲＡメッセージの情報の有効時間の満了を避けるため、転送装置３０、又は、移動管理装置４０は、有効時間より短い周期（ＲＡ周期）において、ＲＡメッセージを移動端末１０に送信する。例えば、図２に示すシーケンス２０３は、シーケンス２０２からＲＡ周期後に実行される。
【００４１】
そして、移動端末１０は、ＲＡ周期ごとに送信されるＲＡメッセージを用いて有効時間を更新するため、転送装置３０、又は、移動管理装置４０は、移動端末１０における有効時間を延長し、移動端末１０がネットワーク５０と通信できる状態を移動端末１０に維持させることができる。
【００４２】
図３は、本実施例の位置情報更新処理を示すシーケンス図である。
【００４３】
移動端末１０は、シーケンス２０１の接続処理の後、位置情報更新要求を基地局２０に送信する（２０５）。
【００４４】
位置情報更新要求は、移動端末１０が転送装置３０と通信するために情報を交換するための制御メッセージである。具体的には、位置情報更新要求は、移動端末１０が自身の位置を示す位置情報を転送装置３０に通知するため、又は、移動端末１０が生存していることを転送装置３０に通知するため、送信される制御メッセージである。
【００４５】
移動端末１０は、位置情報更新要求を、位置情報に変更が発生した場合、又は、位置情報を通知するためのあらかじめ定義された周期（以下、位置情報更新間隔）に達した場合に送信する。
【００４６】
基地局２０が移動端末１０から位置情報更新要求を受信した場合、位置情報更新要求に含まれる位置情報を転送装置３０に通知するため、基地局２０は、位置情報更新要求を転送装置３０に転送する（２０６）。転送装置３０は、位置情報更新要求を受信した場合、自らが保持する移動端末１０の位置情報を更新した後、更新された位置情報を含む位置情報更新応答を基地局２０に返す（２０７）。
【００４７】
基地局２０は、ＲＡメッセージを含む位置情報更新応答を受信した場合、ＲＡメッセージを含む位置情報更新応答を移動端末１０に送信する（２０８）。図３に示すシーケンス２０５〜２０８が、本実施例の位置情報更新処理である。
【００４８】
シーケンス２０６、及び２０７において、位置情報更新要求及び位置情報更新応答を送信するために用いられるメッセージは、基地局−転送装置間制御メッセージである。
【００４９】
図４は、本実施例の基地局−転送装置間制御メッセージのメッセージフォーマットを示す説明図である。
【００５０】
基地局−転送装置間制御メッセージは、メッセージ固定部２０９とメッセージ拡張部２１０とを含む。メッセージ固定部２０９は、送信先アドレス、及び、送信元アドレス等のヘッダ情報が含まれる領域である。
【００５１】
メッセージ拡張部２１０は、将来の拡張性を考慮し、オプション情報を複数格納できる領域（オプション１〜オプションＮ、Ｎは任意の正数）である。オプション情報として、本実施例の基地局−転送装置間制御メッセージには、ＲＡメッセージ及びＲＡ周期が定義される。また、ＲＡメッセージ及びＲＡ周期が格納される領域の位置を、移動端末１０、及び転送装置３０は保持する。
【００５２】
そして、転送装置３０が位置情報更新応答のメッセージ拡張部２１０のオプション情報としてＲＡメッセージを格納することによって、基地局２０及び移動端末１０がＲＡメッセージを取得できる。
【００５３】
シーケンス２０５、及び２０８において、位置情報更新要求及び位置情報更新応答を送信するために用いられるメッセージは、移動端末−基地局間制御メッセージである。移動端末−基地局間制御メッセージは、基地局−転送装置間制御メッセージと同じく、メッセージ固定部２０９とメッセージ拡張部２１０とを含む。また、移動端末−基地局間制御メッセージのメッセージ拡張部２１０にも、オプション情報としてＲＡメッセージが定義される。これによって、移動端末１０は、位置情報更新応答に含まれるＲＡメッセージを取得することができる。
【００５４】
移動端末１０は、ＲＡメッセージを含む位置情報更新応答を受信した場合、位置情報更新処理後のＲＡメッセージの受信処理を実行する。ここで、移動端末１０は、ＲＡメッセージの受信処理として、自らが保持するＲＡメッセージを、受信したＲＡメッセージによって更新する。そして、移動端末１０は、これによって、ＲＡメッセージの有効時間を、受信したＲＡメッセージに含まれる有効時間に従って延長する。
【００５５】
図３に示す位置情報更新処理は、ＷｉＭＡＸにおけるＳｅｃｕｒｅ  Ｌｏｃａｔｉｏｎ  Ｕｐｄａｔｅ処理に相当し、及び、３ＧＰＰにおけるＴｒａｃｋｉｎｇ  Ａｒｅａ  Ｕｐｄａｔｅ処理に相当する。
【００５６】
また、本実施例では位置情報更新処理において用いられる制御メッセージにＲＡメッセージを含める。しかし、移動端末１０、基地局２０、及び、転送装置３０の間で位置情報交換処理相当の制御メッセージを交換するシーケンスが新たに定義された場合、新たに定義されたシーケンスで使用される制御メッセージに、ＲＡメッセージが含められてもよい。
【００５７】
図５は、本実施例の位置情報更新処理における転送装置３０の処理を示す説明図である。
【００５８】
転送装置３０は、位置情報管理部３０１、データパケット転送部３０２、認証・認可管理部３０４、通信情報記憶部３０５、及び、振分部３０７を有する。図５に示す位置情報管理部３０１、データパケット転送部３０２、認証・認可管理部３０４、及び、振分部３０７は、各々、プロセッサ、及び、メモリを有する装置によって実装される。
【００５９】
ただし、本実施例の転送装置３０は、位置情報管理部３０１、データパケット転送部３０２、認証・認可管理部３０４、及び、振分部３０７を実行するためのプログラムを有してもよく、転送装置３０が有するプロセッサ、及びメモリによって、プログラムを実行してもよい。
【００６０】
また、通信情報記憶部３０５は、転送装置３０が有するメモリに保持される記憶領域である。通信情報記憶部３０５は、移動端末１０と転送装置３０との接続処理（シーケンス２０１）において、転送装置３０が取得した移動端末１０のアドレス指定方法を示す情報を含む。
【００６１】
位置情報管理部３０１は、移動端末１０の位置情報を保持する。データパケット転送部３０２は、移動端末１０及びネットワーク５０間のデータパケットを転送する。認証・認可管理部３０４は、接続処理（シーケンス２０１）において、制御メッセージを送受信する。
【００６２】
振分部３０７は、受信したパケットの内容を参照し、受信したパケットが制御メッセージである場合、当該制御メッセージを処理する処理部に受信したパケットを転送する。
【００６３】
具体的には、移動端末１０から送信され、かつ、位置情報更新要求又は無線解放要求を含む制御メッセージを、振分部３０７は、位置情報管理部３０１に転送する。また、振分部３０７は、接続処理（シーケンス２０１）において受信する動作情報交換要求を、認証・認可管理部３０４に送信する。
【００６４】
振分部３０７、及び位置情報管理部３０１は、受信したパケットが示す制御メッセージの種別をあらかじめ保持し、保持する種別によって受信したパケットを識別する。
【００６５】
データパケット転送部３０２は、ルータ処理部３０３及びＲＡ周期３０６を有する。ルータ処理部３０３は、データパケット転送部３０２に備わる物理的な装置でもよく、また、データパケット転送部３０２によって読み出されるプログラムによって機能が実装されてもよい。ルータ処理部３０３は、データパケット転送部３０２を介して、移動端末１０にＲＡメッセージを定期的に送信する。
【００６６】
また、ＲＡ周期３０６は、移動端末１０に最後にＲＡメッセージを送信してから経過した経過時間、又は、移動端末１０のＲＡ周期の残り時間を示す。また、ＲＡ周期３０６は、移動端末１０に対応するＲＡ周期を含む。データパケット転送部３０２は、ＲＡ周期３０６を、毎秒更新する。例えば、ＲＡ周期３０６が残り時間を示す場合、データパケット転送部３０２は、ＲＡ周期３０６の残り時間を、毎秒減算する。
【００６７】
データパケット転送部３０２は、ＲＡ周期３０６を有することによって、ＲＡ周期ごとにＲＡメッセージを移動端末１０に送信することができる。
【００６８】
位置情報管理部３０１は、位置情報更新要求を振分部３０７から受信した場合（シーケンス２０６に相当）、位置情報更新応答にＲＡメッセージを含めるため、ＲＡメッセージ要求をデータパケット転送部３０２に送信する。なお、ここで、位置情報管理部３０１は、データパケット転送部３０２に送信するＲＡメッセージ要求に、位置情報更新要求及び位置情報更新要求を送信した移動端末１０を示す識別子を含める。
【００６９】
データパケット転送部３０２は、ＲＡメッセージ要求を受信した場合、移動端末１０にＲＡメッセージを送るか否かを判定した後（詳細は後述）、判定結果に従って、ルータ処理部３０３が保持するＲＡメッセージを取得する。そして、データパケット転送部３０２は、ＲＡメッセージが取得された場合、取得されたＲＡメッセージをＲＡメッセージ応答として、位置情報管理部３０１に送信する。
【００７０】
位置情報管理部３０１は、データパケット転送部３０２からＲＡメッセージを取得した場合、ＲＡメッセージを含んだ位置情報更新応答を生成し、生成された位置情報更新応答を基地局２０に送信する（シーケンス２０７に相当）。
【００７１】
また、位置情報管理部３０１は、例えば、移動端末１０がＩＰｖ６を用いてネットワーク５０と通信しないなど、移動端末１０にＲＡメッセージを送信することが不要であると判定した場合、ＲＡメッセージ要求の送信及びＲＡメッセージ応答の受信を行わないと決定してもよい。
【００７２】
図５に示す処理によれば、位置情報更新要求が送信された際にＲＡメッセージを移動端末１０に送信できるため、転送装置３０は、移動端末１０及び転送装置３０間で送受信される制御メッセージを有効に活用できる。そしてこれによって、ＲＡメッセージを送信するために、移動端末１０において発生するページング及び無線コネクションの再確立の回数を低減させることができる。
【００７３】
なお、位置情報管理部３０１は、位置情報更新要求を受信する前に、移動端末１０の移動体通信システムへの接続処理（図２に示すシーケンス２０１）、又は、移動端末１０の無線コネクション解放過程などにおいて、ルータ処理部３０３からＲＡメッセージをあらかじめ取得しておいてもよい。そして、位置情報管理部３０１は、位置情報更新要求を受信した後に、ＲＡメッセージ要求の送信、及び、ＲＡメッセージ応答の受信を行わずに、あらかじめ保持したＲＡメッセージを位置情報更新応答に含めてもよい。
【００７４】
また、移動管理装置４０が移動端末１０にＲＡメッセージを送信する場合、転送装置３０は、ルータ処理部３０３を有さず、移動管理装置４０がルータ処理部３０３を有する。移動管理装置４０がルータ処理部３０３を有する場合、移動管理装置４０がデータパケット転送部３０２を有し、転送装置３０の位置情報管理部３０１と移動管理装置４０のデータパケット転送部３０２との間において、ＲＡメッセージ情報要求及びＲＡメッセージ情報応答の交換処理が行われてもよい。
【００７５】
図６は、本実施例の移動端末１０における位置情報更新処理を示す説明図である。
【００７６】
移動端末１０は、ＩＰ処理部１０１と無線制御メッセージ処理部１０２とを備える。ＩＰ処理部１０１は、ＩＰパケットを処理する機能であり、ＩＣＭＰｖ６のプロトコルによってＲＡメッセージを処理する。無線制御メッセージ処理部１０２は、位置情報更新要求、及び、位置情報更新応答等の、制御メッセージ（後述する無線解放応答等）を処理する機能である。
【００７７】
無線制御メッセージ処理部１０２は、自らが保持する位置情報更新周期に基づいて、位置情報更新要求を転送装置３０に向けて送信する（シーケンス２０５に相当）。
【００７８】
移動端末１０が、ＲＡメッセージ情報を含む位置情報更新応答を受信した場合（シーケンス２０８に相当）、無線制御メッセージ処理部１０２は、受信した位置情報更新応答等の制御メッセージからＲＡメッセージ情報を抽出し、抽出されたＲＡメッセージ情報をＩＰ処理部１０１に転送する。そして、ＩＰ処理部１０１は、ＲＡメッセージを用いて、移動端末１０におけるＲＡメッセージの有効時間を延長する処理等を行う。
【００７９】
図７は、本実施例の無線解放処理を示すシーケンス図である。
【００８０】
図３に示す位置情報更新処理が、移動端末がＩｄｌｅ状態である時のみ、実行される移動体通信システムにおける本実施例を以下に示す。このような移動体通信システムでは、位置情報更新間隔をカウントするためのタイマはＩｄｌｅ状態になった直後からスタートする。
【００８１】
この場合、後述する動作情報交換処理等によって移動端末１０に位置情報更新周期がＲＡ周期より短く設定されても、移動端末１０が、ＲＡ周期が満了する直前にＩｄｌｅ状態に遷移した場合、位置情報更新処理が実行される前にＲＡ周期の満了が発生する。その結果、Ｉｄｌｅ状態になった直後に、ＲＡメッセージを要求するためのページング又は無線コネクションの再確立が発生することになる。
【００８２】
このようなページング等を回避するため、Ｉｄｌｅ状態のときのみ位置情報更新処理を行う移動体通信システムにおいて、転送装置３０は、無線コネクションを解放する処理において、ＲＡメッセージを移動端末１０に通知し、さらに、転送装置３０が保持するＲＡ周期をリセットする。
【００８３】
具体的には、移動端末１０は、無線解放要求を基地局２０に送信する（６１０）。無線解放要求を受信した場合、基地局２０は、無線解放要求を転送装置３０に転送する（６１１）。
【００８４】
無線解放要求を受信した場合、転送装置３０は、ＲＡメッセージを含む無線解放応答を基地局２０に送信する（６１２）。
【００８５】
ＲＡメッセージを含む無線解放応答を受信した場合、基地局２０は、移動端末１０にＲＡメッセージを含む無線解放応答を転送する（６１３）。移動端末１０は、ＲＡメッセージを含む無線解放応答を受信した場合、ＲＡメッセージを受信したと判定し、自ら保持するＲＡメッセージを、受信したＲＡメッセージによって更新し、ＲＡメッセージの有効時間を延長する。
【００８６】
シーケンス６１１の後、転送装置３０における振分部３０７は、受信した無線解放要求を位置情報管理部３０１に転送する。そして、位置情報管理部３０１は、無線解放要求を受信した場合、ＲＡメッセージ要求をデータパケット転送部３０２に送信する。なお、ここで、位置情報管理部３０１は、無線解放要求及び無線解放要求を送信した移動端末１０を示す識別子を、データパケット転送部３０２に送信するＲＡメッセージ要求に含める。
【００８７】
データパケット転送部３０２は、ＲＡメッセージ要求を受信した場合、ＲＡメッセージを送信するか否かを判定した後、判定結果に従って、ルータ処理部３０３からＲＡメッセージを取得する。そして、データパケット転送部３０２は、取得されたＲＡメッセージを、ＲＡメッセージ応答として、位置情報管理部３０１に送信する。
【００８８】
そして、位置情報管理部３０１は、ＲＡメッセージ応答に含まれるＲＡメッセージを、位置情報更新応答に含める。そして、位置情報管理部３０１は、ＲＡメッセージを含む位置情報更新応答を、移動端末１０に送信する。
【００８９】
なお、転送装置３０が、無線解放応答のメッセージ拡張部２１０のオプション情報としてＲＡメッセージを格納することによって、移動端末１０がＲＡメッセージを取得できる。
【００９０】
移動端末１０は、シーケンス６１３の後、図６に示す処理を実行する。移動端末１０における無線制御メッセージ処理部１０２は、ＩＰ処理部１０１にＲＡメッセージを送信し、ＩＰ処理部１０１がＲＡメッセージ受信を処理する。
【００９１】
図８は、本実施例のＲＡメッセージ要求を受信した場合のデータパケット転送部３０２の処理を記すフローチャートである。
【００９２】
図８に示す処理は、データパケット転送部３０２が、位置情報更新処理を示すＲＡメッセージ要求、及び、無線解放要求を示すＲＡメッセージ要求を受信した場合のデータパケット転送部３０２における処理を示す。また、図８に示す処理は、無線解放要求への無線解放応答に、ＲＡメッセージを含める場合の処理を示す。
【００９３】
データパケット転送部３０２は、位置情報管理部３０１からＲＡメッセージ要求を受信した場合、通信情報記憶部３０５に基づいて、移動端末１０とネットワーク５０とがＩＰｖ６を用いて通信するか否かを判定する（５０１）。
【００９４】
移動端末１０とネットワーク５０とがＩＰｖ６を用いて通信しない場合、ＲＡメッセージを移動端末１０に送信しないため、データパケット転送部３０２は、ＲＡメッセージを含まないＲＡメッセージ応答を、位置情報管理部３０１に送信する（５０６）。
【００９５】
また、移動端末１０とネットワーク５０とがＩＰｖ６を用いて通信する場合、データパケット転送部３０２は、ＲＡメッセージ要求が、無線解放要求を示すか否かを判定する（５０２）。ＲＡメッセージ要求が無線解放要求を示す場合、ＲＡメッセージを位置情報管理部３０１に送信するため、データパケット転送部３０２は、ステップ５０４を実行する。
【００９６】
ＲＡメッセージ要求が無線解放要求ではなく、位置情報更新要求を示す場合、データパケット転送部３０２は、移動端末１０のＲＡ周期の残り時間が位置情報更新処理の周期より短いか否かを判定する（５０３）。
【００９７】
データパケット転送部３０２は、ステップ５０３において、ＲＡメッセージ要求が示す移動端末１０のＲＡ周期の残り時間を、ＲＡ周期３０６から取得する。そして、データパケット転送部３０２は、ステップ５０３において、あらかじめ保持した位置情報更新処理の周期より、取得されたＲＡ周期の残り時間が短い場合、移動端末１０のＲＡ周期の残り時間が位置情報更新処理の周期より短いと判定する。
【００９８】
転送装置３０は、ＲＡメッセージを位置情報更新処理の度に移動端末１０に送る必要はない。位置情報更新処理には周期があり、ＲＡ周期の残り時間が位置情報更新処理の周期より長い場合、転送装置３０は、１回目の位置情報更新処理においてＲＡメッセージを移動端末１０に転送しなくとも、２回目の位置情報更新処理においてＲＡメッセージを送信することによってＲＡメッセージを移動端末１０において維持し続けることができ、制御メッセージを効率よく使用することができる。
【００９９】
このため、ＲＡ周期の残り時間が位置情報更新の周期以上であると判定された場合、データパケット転送部３０２は、ＲＡメッセージを含まないＲＡメッセージ応答を、位置情報管理部３０１に送信する（５０６）。
【０１００】
また、ＲＡ周期の残り時間が位置情報更新処理の周期より短いと判定された場合、データパケット転送部３０２は、移動端末１０のＲＡ周期３０６をリセットする（５０４）。具体的には、ＲＡ周期３０６が、残り時間を示す場合、ステップ５０４において、データパケット転送部３０２は、ＲＡ周期３０６の移動端末１０の残り時間を、ＲＡ周期によって更新する。
【０１０１】
なお、データパケット転送部３０２は、ルータ処理部３０３から、移動端末１０のＲＡ周期を取得してもよい。
【０１０２】
ステップ５０４において、データパケット転送部３０２は、ルータ処理部３０３からＲＡメッセージを取得し、取得されたＲＡメッセージを含むＲＡメッセージ応答を生成する。そして、データパケット転送部３０２は、生成されたＲＡメッセージ応答を、位置情報管理部３０１に送信する（５０５）。
【０１０３】
図８に示す処理によれば、転送装置３０は、ＲＡ周期３０６と、位置情報更新処理の周期とに従って、移動端末１０にＲＡメッセージを送信することを延期することができる。そして、これによって、不要なＲＡメッセージを移動端末１０に送信することを防ぐことができる。
【０１０４】
なお、無線解放要求を受信した場合も、ＲＡメッセージを送信しない場合、データパケット転送部３０２は、図８に示す処理においてステップ５０２を実行しない。
【０１０５】
図９は、本実施例の動作情報交換処理のシーケンス図である。
【０１０６】
図３の位置情報更新処理において、転送装置３０がＲＡメッセージを移動端末１０に通知しても、位置情報更新処理の周期がＲＡ周期より長い場合、移動端末１０においてＲＡメッセージの有効時間が満了する前に、位置情報更新処理においてＲＡメッセージを移動端末１０に通知することができない。そのため、位置情報更新処理はＲＡ周期より短い必要がある。
【０１０７】
移動端末１０は、移動体通信システムへの接続処理（図２のシーケンス２０１）において動作情報を交換する。移動端末１０は、動作情報を交換するため、動作情報交換要求を基地局２０を介して転送装置３０に送信する（６０１）。転送装置３０は、要求された動作情報に位置情報更新間隔を含むことによって移動端末１０が要求する位置情報更新間隔を、基地局２０を介して移動端末１０に通知することができる。
【０１０８】
基地局２０は、移動端末１０から動作情報交換要求を受信した場合、受信した動作情報交換要求を転送装置３０に転送する（６０２）。動作情報交換要求には、移動端末１０が保持する位置情報更新処理の周期を示す位置情報更新間隔が含まれる。
【０１０９】
転送装置３０は、動作情報交換要求を受信した場合、移動端末１０にＲＡ周期より短い間隔で位置情報更新処理を実行させるため、ＲＡ周期より短い位置情報更新間隔を含んだ動作情報交換応答を基地局２０に送信する（６０３）。
【０１１０】
転送装置３０は、動作情報交換応答に含む位置情報更新間隔を、ＲＡ周期を１００パーセントとした場合の位置情報更新間隔をパーセンテージ（１００％より小さな値、例えば、９０％）によって決定する。そして、転送装置３０は、決定された位置情報更新間隔を、移動端末１０に送信することによって、移動端末１０に適切な位置情報更新間隔を設定することが可能である。
【０１１１】
なお、転送装置３０が、動作情報交換応答のメッセージ拡張部２１０のオプション情報としてＲＡ周期を格納することによって、移動端末１０は、ＲＡ周期を取得できる。
【０１１２】
基地局２０は、位置情報更新間隔を含んだ動作情報交換応答を受信した場合、移動端末１０にその情報を伝えるため、転送装置３０より送信された位置情報更新間隔を含んだ動作情報交換応答を移動端末１０に転送する（６０４）。
【０１１３】
移動端末１０の無線制御メッセージ処理部１０２は、位置情報更新間隔を含んだ動作情報交換応答を受信した場合、受信した動作情報交換応答に含まれる位置情報更新間隔によって次の位置情報更新処理を実行する。
【０１１４】
この動作情報交換処理は、ＷｉＭＡＸにおけるＲｅｇｉｓｔｒａｔｉｏｎ処理及びＭＳ＿Ａｔｔａｃｈｍｅｎｔ処理、又は、３ＧＰＰにおけるＡｔｔａｃｈ処理及びＴｒａｃｋｉｎｇ  Ａｒｅａ  Ｕｐｄａｔｅ処理である。
【０１１５】
本実施例における転送装置３０は、動作情報交換処理によって移動端末１０が保持する位置情報交換間隔を更新する。一方で、移動端末１０、基地局２０、転送装置３０の間で動作情報交換処理相当の制御メッセージを交換するシーケンスを新たに定義し、転送装置３０は、当該新たに定義されたシーケンスで使用される制御メッセージに位置情報交換間隔を含めてもよい。
【０１１６】
さらに、図３で説明した位置情報更新処理の代わりに新しいシーケンスを定義する場合、移動端末１０は、新たに定義されたシーケンスの周期を位置情報交換間隔の代わりに使用してもよい。
【０１１７】
図９に示す処理によって、移動端末１０は位置情報更新処理をＲＡ周期より短い間隔で行うため、図３に示す位置情報更新処理において移動端末１０が、有効時間が満了する前に、ＲＡメッセージを更新することができる。
【０１１８】
図１０は、本実施例の動作情報交換処理における転送装置３０の説明図である。
【０１１９】
動作情報交換処理において、転送装置３０における認証・認可管理部３０４とデータパケット転送部３０２とが処理を行う。認証・認可管理部３０４は、移動端末１０の認証情報、及び、認可情報を保持する。図１０に示すデータパケット転送部３０２は、図５に示すデータパケット転送部３０２と同じである。
【０１２０】
転送装置３０の振分部３０７が動作情報交換要求を受信した場合（シーケンス６０２に相当）、認証・認可管理部３０４が、動作情報交換要求を受信する。認証・認可管理部３０４が動作情報交換要求を受信した場合、認証・認可管理部３０４は、ＲＡ周期を取得するため、ＲＡ周期要求をデータパケット転送部３０２に送信する。
【０１２１】
データパケット転送部３０２は、認証・認可管理部３０４からＲＡ周期要求を受信した場合、ルータ処理部３０３からＲＡ周期を取得する。そして、ルータ処理部３０３から取得されたＲＡ周期をＲＡ周期応答に含め、ＲＡ周期を含むＲＡ周期応答を認証・認可管理部３０４に送信する。
【０１２２】
認証・認可管理部３０４は、ＲＡ周期応答に含まれるＲＡ周期を取得した場合、取得されたＲＡ周期より小さい位置情報更新間隔を動作情報交換応答に含める。そして、認証・認可管理部３０４は、ＲＡ周期より小さい位置情報更新間隔を含む動作情報交換応答を、基地局２０に送信する（シーケンス６０３に相当）。
【０１２３】
図１１は、本実施例の認証・認可管理部３０４による処理を示すフローチャートである。
【０１２４】
認証・認可管理部３０４は、基地局２０から動作情報交換要求を受信した場合、通信情報記憶部３０５を参照し、動作情報交換要求を送信した移動端末１０がＩＰｖ６を用いるか否かを判定する（６０５）。
【０１２５】
動作情報交換要求を送信した移動端末１０がＩＰｖ６を用いる場合、認証・認可管理部３０４は、ＲＡ周期を取得するため、ＲＡ周期要求をデータパケット転送部３０２に送信する（６０６）。そして、認証・認可管理部３０４は、データパケット転送部３０２から送信されるＲＡ周期応答から、ＲＡ周期を取得する。
【０１２６】
ステップ６０６の後、認証・認可管理部３０４は、取得されたＲＡ周期よりも短い周期を新たな位置情報更新間隔として、動作情報交換応答に含め、新たな位置情報更新間隔を含む動作情報交換応答を、移動端末１０に送信する（６０７）。
【０１２７】
なお、認証・認可管理部３０４は、位置情報更新間隔のＲＡ周期に対する割合をあらかじめ設定される。そして、認証・認可管理部３０４は、ステップ６０７においてあらかじめ設定された割合（例えば、９０％）をＲＡ周期に乗算することによって、新たな位置情報更新間隔を算出する。
【０１２８】
ステップ６０５において、動作情報交換要求を送信した移動端末１０がＩＰｖ６を用いないと判定された場合、移動端末１０が保持する位置情報更新間隔を更新する必要がない。このため、認証・認可管理部３０４は、動作情報交換要求に含まれる位置情報更新間隔を、動作情報交換応答に含める。そして、認証・認可管理部３０４は、位置情報更新間隔を含む動作情報交換応答を移動端末１０に送信する（６０８）。
【０１２９】
なお、ステップ６０８において、認証・認可管理部３０４は、位置情報更新間隔を含まない動作情報交換応答を移動端末１０に送信してもよい。
【０１３０】
前述の処理によって、転送装置３０は、ＲＡ周期より小さい位置情報更新間隔を含む動作情報交換応答を、移動端末１０に送信することができる。これによって、移動端末１０においてＲＡ周期が満了する前に位置情報更新処理が実行されるため、転送装置３０は、移動端末１０におけるＲＡメッセージの有効時間が満了する前に、ＲＡメッセージを移動端末１０に送信することができる。
【０１３１】
なお、認証・認可管理部３０４があらかじめＲＡ周期を取得できる場合、認証・認可管理部３０４は、ＲＡ周期要求及びＲＡ周期応答の交換によってデータパケット転送部３０２からＲＡ周期を取得しなくても、あらかじめ保持するＲＡ周期より小さな位置情報更新間隔を、移動端末１０に通知してもよい。
【０１３２】
また、認証・認可管理部３０４は、図１１に示すステップ６０６の後、データパケット転送部３０２から受信したＲＡ周期と、動作情報交換要求に含まれていた位置情報更新間隔とを比較し、位置情報更新間隔がＲＡ周期以上である場合、ステップ６０７を実行し、新たな位置情報更新間隔を算出してもよい。また、位置情報更新間隔がＲＡ周期を下回る場合、認証・認可管理部３０４は、ステップ６０８を実行してもよい。
【０１３３】
これによって、転送装置３０は、位置情報更新間隔を設定し直す処理の実行回数を低減できる。
【０１３４】
また、ルータ処理部３０３を移動管理装置４０が有する場合、転送装置３０と移動管理装置４０とが、ＲＡ周期要求及びＲＡ周期応答を交換する。
【０１３５】
図３から図１１の処理を行うことによって、転送装置３０は、移動端末１０にＲＡ周期より短い間隔で位置情報更新処理を実行させることが可能である。これにより、移動端末１０は、ＲＡ周期より短い周期で位置情報更新処理を行い、この処理の過程でＲＡメッセージを含む位置情報更新応答を受信する。そして、これによって、移動端末１０は、ＲＡメッセージを受信できる。その結果、移動端末１０は、無線コネクションからＲＡメッセージを受信した場合と同等に、ＲＡメッセージの有効時間を延長でき、ページング又は無線コネクションの再確立を実行することなくＩＰｖ６による通信を維持することができる。
【０１３６】
また、位置情報更新応答、又は、無線解放応答等の制御メッセージにＲＡメッセージを含めることにより、転送装置３０は、転送装置３０、基地局２０、及び、移動端末１０において使用される制御メッセージの数を削減し、移動体通信システムにおける制御メッセージの輻輳を低減することができる。また、無線コネクションの再確立等を行わないことによってＩｄｌｅ状態から復帰の必要がなくなるため、転送装置３０は、移動端末１０で使用する電力消費を削減できる。
【０１３７】
特に、ＷｉＭＡＸにおいては無線コネクションの解放及び再確立において３ＧＰＰに比べ、多くの制御メッセージを使用する。ＲＡ周期、又は、位置登録更新周期の長さに依存するが、ＩＥＴＦ、ＷｉＭＡＸ、又は、３ＧＰＰで規定されるデフォルト値（ＲＡ周期＝６００秒）において本発明を使用した場合、ＩＰｖ６において、Ｉｄｌｅ状態を維持し続ける移動端末１０の制御メッセージ数が５０％以上削減されることが見込まれる。
【０１３８】
さらに、本実施例の制御メッセージを用いる処理（位置情報更新処理、無線解放処理、及び、動作情報交換処理）は、移動端末１０及び転送装置３０間において要求メッセージ及び応答メッセージを交換する処理である。このため、本実施例のように制御メッセージを使用してＲＡメッセージを送信することによって、制御メッセージを使用した処理が移動端末１０、基地局２０、及び、転送装置３０間において終了した場合、ＲＡメッセージが移動端末１０まで到達することが保証される。
【０１３９】
一方、通常、ＲＡ周期によって送信されるＲＡメッセージ（例えば、図２のシーケンス２０２〜２０４）は、片方向通信によって送信され、ＲＡ周期内で移動端末１０へ複数回送信される。このため、本実施例のように制御メッセージの処理にＲＡメッセージの送信処理を含めることによって、転送装置３０がＲＡメッセージを複数回送信する必要がなくなる。
【０１４０】
なお、本発明は前述の実施例に限定されるものではなく、様々な変形例が含まれる。例えば、前述の実施例は本発明を分かりやすく説明するために詳細に説明したものであり、必ずしも説明した全ての構成を備えるものに限定されるものではない。
【０１４１】
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリ、ハードディスク、ＳＳＤ（Ｓｏｌｉｄ  Ｓｔａｔｅ  Ｄｒｉｖｅ）等の記録装置、または、ＩＣカード、ＳＤカード、ＤＶＤ等の記録媒体に格納することができる。
【０１４２】
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【０１４３】
１０  移動端末
２０  基地局
３０  転送装置
４０  移動管理装置
５０  ネットワーク
６０  通信装置
１０１  ＩＰ処理部
１０２  無線制御メッセージ処理部
３０１  位置情報管理部
３０２  データパケット転送部
３０３  ルータ処理部
３０４  認証・認可管理部
【図１】
2014150342.tif 000003
【図２】
2014150342.tif 000004
【図３】
2014150342.tif 000005
【図４】
2014150342.tif 000006
【図５】
2014150342.tif 000007
【図６】
2014150342.tif 000008
【図７】
2014150342.tif 000009
【図８】
2014150342.tif 000010
【図９】
2014150342.tif 000011
【図１０】
2014150342.tif 000012
【図１１】
2014150342.tif 000013